(57)【要約】【課題】  不正コインを確実に排出し、「飲み込み」現象は起こさず、正規コインを確実に計数、管理して、遊技者が安心して遊技できる遊技機用のコインセレクタを提供する。【解決手段】  投入口から受容口まで延び投入口から投入されたコインが通る傾斜したコイン通路の底面を形成する底部レールと、該コイン通路の一方の側面を形成し、該コインを該コイン通路から側方に排出可能な切欠き部を備える第一側壁と、該切欠き部を開閉可能に覆うキャンセル部材と、該コイン通路の他方の側面を形成し、該切欠き部よりも下流側直近の該コインの上半分の高さ位置にブロック部材突出孔を備える第二側壁と、  該ブロック部材突出孔から該コイン通路内の上部へ突出及び該コイン通路外へ待避するブロック部材と、該コイン通路内の該コインを検知する検知手段と、該検知手段の検知結果を取り込み、該キャンセル部材の開閉動作と該ブロック部材の突出及び待避動作とを制御する制御部と、を備えることを特徴とするコインセレクタ。【選択図】  図２
2006110188.tif 000002
【特許請求の範囲】
【請求項１】
投入口から受容口まで延び投入口から投入されたコインが通る傾斜したコイン通路の底面を形成する底部レールと、
該コイン通路の一方の側面を形成し、該コインを該コイン通路から側方に排出可能な切欠き部を備える第一側壁と、
該切欠き部を開閉可能に覆うキャンセル部材と、
該コイン通路の他方の側面を形成し、該切欠き部よりも下流側直近の該コインの上半分の高さ位置にブロック部材突出孔を備える第二側壁と、
該ブロック部材突出孔から該コイン通路内の上部へ突出及び該コイン通路外へ待避するブロック部材と、
該コイン通路内の該コインを検知する検知手段と、
該検知手段の検知結果を取り込み、該キャンセル部材の開閉動作と該ブロック部材の突出及び待避動作とを制御する制御部と、
を備えることを特徴とするコインセレクタ。
【請求項２】
前記検知手段は、前記コイン通路内の前記ブロック部材突出孔から底部レールにおろした垂線上の位置で前記コインを検知する第一検知手段と、該コイン通路内の該第一検出手段よりも下流位置で該コインを検知する第二検知手段と、を備える請求項１に記載のコインセレクタ。
【請求項３】
前記検知手段は、前記コイン通路内の前記投入口を通過直後の位置で前記コインを検出する前置検知手段を備える請求項１または２のいずれかに記載のコインセレクタ。
【請求項４】
前記制御部は、前記キャンセル部材板が前記切欠き部を閉じる動作と、前記ブロック部材が前記コイン通路外へ待避する動作と、を同時に制御する請求項１〜３のいずれかに記載のコインセレクタ。
【請求項５】
前記制御部は、前記第一検知手段あるいは前記前置検知手段において検知した前記コインの投入枚数から、前記第二検知手段において検知した該コインの受容枚数を差し引いて排出枚数を求める請求項２〜４のいずれかに記載のコインセレクタ。
【請求項６】
前記制御部は、前記第一検知手段あるいは前記前置検知手段において検知した前記コインのうち、前記第二検知手段において検知されていない該コインの枚数を排出枚数として検出する請求項２〜４のいずれかに記載のコインセレクタ。
【請求項７】
前記制御部で求めた前記排出枚数を表示する表示手段を備える請求項５または６のいずれかに記載のコインセレクタ。
【請求項８】
前記制御部は、前記受容枚数から遊技に使用した枚数を差し引いた貯蓄枚数が規定値に達したとき、及び電源が切れたときに、前記キャンセル部材を開き、前記ブロック部材を前記コイン通路内に突出させる請求項１〜７のいずれかに記載のコインセレクタ。
【発明の詳細な説明】
【技術分野】
【０００１】
本発明は、コインを投入して遊技するスロットマシンなどの遊技機に組み込まれて、コインの受容及び排出や真偽の判定、枚数の計数及び管理を行うコインセレクタに関する。
【背景技術】
【０００２】
スロットマシンなどの遊技機には、遊技店内でのみ通用するコインが使用に供されている。すなわち、遊技者は遊技機の投入口にコインを投入し、いわゆる絵柄合わせの遊技を行い、特定の絵柄が揃ったときには多数のコインを獲得できるようになっている。ところで、獲得したコインは景品と交換できるため、他店のコインや偽造されたコインの不正使用を防止することが必要である。このため、投入されたコインは真偽が判定されて正規コインのみが受容され、不正コインは排出されるようになっている。
【０００３】
また、最近では、遊技の都度コインを受容するのではなく、一度に多数のコインを受容するクレジット機能をもつ遊技機が一般的になってきている。クレジット機能をもつ遊技機では、遊技者は規定値の範囲内で多数のコインを前以て投入しておき、連続して遊技を行うことができる。遊技機側では受容したコイン枚数を貯蓄枚数として記憶し、遊技の都度減数計算して、表示している。
【０００４】
上述のように、コインの受容及び排出や真偽の判定、枚数の計数及び管理を行う装置がコインセレクタである。コインセレクタは、通常は遊技機に一体に組み込まれている。コインセレクタは、例えば特許文献１に開示されるようにコイン通路を備え、コインが通過する途中で真偽を判定し、真と判定したコインを受容し、偽と判定したコインを排出している。
【０００５】
コインの真偽判定には大きく分けて、寸法による選別とセンサによる検知の２方法がある。寸法による選別では、投入口あるいはコイル通路の断面形状を正規コインよりもわずかに大きくしておき、過大な不正コインを通さないようにしている。また、コイン通路の側壁に正規コインの直径よりもわずかに小さな高さでコイン通路方向に長い切欠き部を設け、切欠き部よりも小さな不正コインを落下させて排出している。特許文献１では、コイン通路を切欠き部のある側に傾け、コインが傾いた状態で転動するようにして、重力により自然落下するようにしている。
【０００６】
センサによる検知方法としては、フォトセンサの遮光によりコイン通過を検出する方法や、重量センサによりコインの重さを検出する方法、ＣＣＤなどの光学的センサによりコインの表面模様を検出する方法、磁界センサによりコイン通過時の磁気インピーダンスの変化を検出する方法などが実用化されている。これらのセンサでは、コインの真偽判定とともに、枚数の計数も行われるのが一般的である。
【０００７】
真と判定されたコインは、コイン通路の最後まで到達し、受容口から遊技機内に取り込まれる。一方、偽と判定されたコインは、コイン通路の途中で排出されて、遊技者に返却される。コインの排出には、コイン通路を形成する底部レールの一部を可動式にして移動させ、自然落下させる方法がある。また、コイン通路を形成する側壁の一部を切り欠いて、不正コインを側方に排出させる方法もある。このとき、排出を容易に行えるように、コイン通路を傾斜させたり、コイン通路内にブロック部材を突出させて不正コインを排出側とは逆の側方から押し出すこともある。また、コイン通路内のブロック部材は、コインが誤って受容口に到達することを妨害する役割も果たしている。
【特許文献１】特開２００２−１７２２０３号公報
【発明の開示】
【発明が解決しようとする課題】
【０００８】
ところで、コインを検知するセンサには、比較的廉価で入手の容易なフォトセンサが多用されている。フォトセンサは、発光部から発した光がコインで遮光され受光部で検知できなくなることで、コインを検知している。フォトセンサは、塵埃がたまって検知能力が低下することを避けるため、コイン通路内の上方に配設されている。このため、部材配置の制約上からブロック部材はコイン通路内の下方に配設されている。
【０００９】
ところが、ブロック部材を下方に配設してコインを妨害しても、速い速度のコインは時としてブロック部材を乗り越え、誤って受容口に到達してしまう場合が生じている。また、多数のコインが連続して投入された時には、コイン通路内でコイン同士が衝突し、あるいは押し合って、ブロック部材を乗り越えてしまうことも想定される。さらに、ブロック部材でコインを側方から押し出すときも、コインの中心よりも下側を押すことになり、コインと底部レールとの摩擦抵抗により、排出できないおそれがある。
【００１０】
このように、本来排出すべき不正コインを受容してしまうことは、解決すべき課題である。
【００１１】
さらに問題となるのは、いわゆる「飲み込み」現象である。コインセレクタは、不正コイン以外に正規コインでも排出するときがある。それは、クレジット機能の貯蓄枚数が規定値に達したとき、遊技している途中、遊技機電源が切れているときなどである。これらのときに投入された正規コインを誤って受容してしまうと、貯蓄枚数は増加されない。遊技者からみれば、コインを投入したが遊技ができないという「飲み込み」の不利益を被ることになる。
【００１２】
この「飲み込み」があると遊技者に不信感をもたれ、遊技店のイメージが低下して、大問題となる。実際に、遊技者がコイン枚数を把握している場合は希であり、遊技機側で正確に計数、管理されているか否か不安感をもたれるおそれは十分にある。
【００１３】
なお、コイン通路を切欠き部のある側に傾ける方法ではコイン通路を途中で捻る必要があり、この捻った部分で連続投入されたコインが詰まってしまう問題点があった。
【００１４】
本発明は上記背景に鑑みてなされたものであり、不正コインを確実に排出し、「飲み込み」現象は起こさず、正規コインを確実に計数、管理して、遊技者が安心して遊技できる遊技機用のコインセレクタを提供する。
【課題を解決するための手段】
【００１５】
上記課題を解決する本発明のコインセレクタは、投入口から受容口まで延び投入口から投入されたコインが通る傾斜したコイン通路の底面を形成する底部レールと、該コイン通路の一方の側面を形成し、該コインを該コイン通路から側方に排出可能な切欠き部を備える第一側壁と、該切欠き部を開閉可能に覆うキャンセル部材と、該コイン通路の他方の側面を形成し、該切欠き部よりも下流側直近の該コインの上半分の高さ位置にブロック部材突出孔を備える第二側壁と、該ブロック部材突出孔から該コイン通路内の上部へ突出及び該コイン通路外へ待避するブロック部材と、該コイン通路内の該コインを検知する検知手段と、該検知手段の検知結果を取り込み、該キャンセル部材の開閉動作と該ブロック部材の突出及び待避動作とを制御する制御部と、を備えることを特徴とする。
【００１６】
底部レールと第一側壁及び第二側壁は、断面形状がコ形の上方が開いたコイン通路を形成している。コイン通路は、例えば投入口付近はほぼ垂直通路で途中から湾曲してなだらかな傾斜通路となり受容口に到達するように、底部レールを湾曲させて形成することができる。底部レールは上記形状には限定されず、後述の切欠き部やブロック部材突出孔、検知手段の配置を満足させ、かつ滑らかな曲線形状とすることが好ましい。コイン通路の上端は投入口であり遊技者がコインを投入し、下端は受容口であって遊技機内のコイン蓄積部に通じている。
【００１７】
また、側壁間の距離すなわちコイン通路の幅は、コインの厚さよりもわずかに大きく、コインが重ならないようになっている。このように形成されたコイン通路内で、投入されたコインは１枚ずつ順番に垂直通路を下降し、傾斜通路を起立した状態で転動してゆく。
【００１８】
なお、底部レールと第一側壁及び第二側壁は、形状が複雑であること、軽量が望ましいことなどの理由により、樹脂成形により製作されるのが好ましい。このとき、底部レールは、いずれかの一方の側壁と一体に製作してもよい。
【００１９】
第一側壁のコイン通路の途中には切欠き部が設けられている。切欠き部は、高さ方向は底部レールからコインの直径よりも高い位置まで、長さ方向はコイン通路に沿ってコインの直径よりも大きく、切り欠かれている。
【００２０】
キャンセル部材は、切欠き部を開閉可能に覆うものであり、切欠き部よりもわずかに小さな板材が用いられている。開閉可能な構造としては、例えばキャンセル部材の一辺を回動可能に軸支持し、ばね部材により開方向へ付勢し、ばね部材よりも大きな電磁駆動力で閉方向へ駆動してやればよい。キャンセル部材が閉じて切欠き部を補いコイン通路が形成された状態では、コインは転動してゆく。キャンセル部材が開いた状態では、コインは切欠き部からコイン通路の側方に出た後、下方に落ちて排出されるようになっている。
【００２１】
第二側壁の切欠き部よりも受容口に近い下流側直近には、第二側壁を貫通するブロック部材突出孔が設けられている。ブロック部材突出孔はコインの上半分の高さ位置に設けられ、後述のブロック部材がコイン通路内へ突出できるようになっている。
【００２２】
ブロック部材は、ブロック部材突出孔からコイン通路内の上部へ突出及びコイン通路外へ待避できるようになっている。ブロック部材には、例えば鋼棒を用いてばね部材により付勢して突出させ、電磁力により吸引して待避させればよい。ブロック部材がコイン通路外へ待避した状態では、コインは転動してゆく。ブロック部材がコイン通路内へ突出されると、転動してきたコインの上半分の部分に当たって、受容口への到達を阻止する。このとき、キャンセル部材を開いてやると、コインは切欠き部から排出される。
【００２３】
検知手段は、コイン通路内のコインを検知して、真偽判定を行うものである。検知手段の使用数ならびに配設箇所は、以下の方法とすることが好ましい。
【００２４】
すなわち、前記検知手段は、前記コイン通路内の前記ブロック部材突出孔から底部レールにおろした垂線上の位置で前記コインを検知する第一検知手段と、該コイン通路内の該第一検出手段よりも下流位置で該コインを検知する第二検知手段と、を備えることが好ましい。第一検知手段では、ブロック部材で阻止されるコインと阻止されないコインの両方とも検知できる。かつ、阻止の有無によりコインの動きが異なるため、両者は異なる検知信号として検知される。すなわち、全投入枚数と、排出枚数、受容枚数を一度に計数できる。第二検知手段では、排出されず受容するコインを確実に検知することができる。したがって、第一検出手段で排出か受容か判別できなかった時も、確実に判別することができる。
【００２５】
前記検知手段は、前記コイン通路内の前記投入口を通過直後の位置で前記コインを検知する前置検知手段を備えてもよい。前置検知手段の検知信号によりコインの真偽判定を行えば、キャンセル部材及びブロック部材は不正コインが転動してくるまでに時間的に余裕を持って動作し、不正コインを排出できる。
【００２６】
また、コインセレクタには前記の切欠き部の他に別の排出機構が設けられる場合もある。例えば、コイン詰まりが発生したとき、遊技者の返却ボタン操作により、側壁間の距離を拡げてコイン通路内のコインを排出する機構である。この機構が働いたときは、第一検知手段までコインが到達せず、投入枚数が把握できない。したがって、コイン通路最上流の前置検知手段でのみ、正確な投入枚数を検知することができる。
【００２７】
前記制御部は、前記キャンセル部材が前記切欠き部を閉じる動作と、前記ブロック部材が前記コイン通路外へ待避する動作と、を同時に制御することが好ましい。このためには、両者の駆動手段を共通化すればよい。例えば、ソレノイドを用いて電磁力により変位を発生させ、リンク機構によりキャンセル部材とブロック部材の両方を駆動すればよい。
【００２８】
上記二つの動作は遊技機を遊技可能とし、正規コインの投入を待ち受けるための準備動作である。したがって、一方のみが先行して動作すると、過渡的に不安定状態となるおそれが生じる。例えば、切欠き部が開いた状態でブロック部材が待避すると、正規コインを投入しても受容されるか、排出されるかが決まらない。また、切欠き部が閉じたにもかかわらずブロック部材が待避しないと、投入されたコインは行き場を失い、コイン通路内に滞留してしまう。
【００２９】
前記制御部は、前記第一検知手段あるいは前記前置検知手段において検知した前記コインの投入枚数から、前記第二検知手段において検知した該コインの受容枚数を差し引いて排出枚数を求めてもよい。また、前記制御部は、前記第一検知手段あるいは前記前置検知手段において検知した前記コインのうち、前記第二検知手段において検知されていない該コインの枚数を排出枚数として検出するようにしてもよい。さらに、前記制御部で求めた前記排出枚数を表示する表示手段を備えることが好ましい。本発明では従来行われていなかった排出枚数の計数が上記により可能となっている。また、排出枚数の表示手段は、従来の貯蓄枚数表示部を兼用し表示を切り替えるようにしてもよく、新規に付設してもよい。
【００３０】
前記制御部は、前記受容枚数から遊技に使用した枚数を差し引いた貯蓄枚数が規定値に達したとき、及び遊技している途中、及び電源が切れているときに、前記キャンセル部材を開き、前記ブロック部材を前記コイン通路内に突出させることが好ましい。「飲み込み」現象を防止するため、上記貯蓄枚数を増加できないタイミングでは、投入されたコインを確実に排出することが必要である。このために、例えばキャンセル部材とブロック部材とを共通に駆動する前記のソレノイドは好ましい手段である。
【００３１】
次に、上述のように構成された本発明のコインセレクタの動作について説明する。
【００３２】
まず、遊技機及びコインセレクタの電源が切れている状態を考えると、キャンセル部材は開き、ブロック部材はコイン通路内に突出している。ここで、コインが投入されると、コインはコイン通路を転動してゆき、ブロック部材に当たる。当たる箇所はコインの上半分であるので、ブロック部材を乗り越えることはなく、切欠き部から排出される。このときには、検知手段や制御部の電源も切れているためコインの計数は行われない。結局、電源が切れた状態では、投入されたコインは、真偽に関係なく無条件で排出される。
【００３３】
次に、電源が投入されると、制御部はキャンセル部材を駆動し切欠き部を閉じてコイン通路を形成し、ブロック部材をコイン通路外へ待避させて、待ち受け状態となる。待ち受け状態で正規コインが投入されると、前置検知手段はコインを検知し、検知信号を制御部に伝送する。制御部は、投入枚数をカウントするとともに真偽を判定し、真と判定できるので待ち受け状態のままでいる。すると正規コインはコイン通路を転動して、切欠き部、第一検知手段、第二検知手段を通過し、受容口まで到達する。第一検知手段及び第二検知手段は、このコインを検知し、検知信号を制御部に伝送する。この結果、制御部で受容枚数及び貯蓄枚数がカウントアップされて、遊技が行える状態になる。
【００３４】
続けて正規コインが投入されると受容口まで到達し、制御部は投入枚数、受容枚数、貯蓄枚数をそれぞれカウントアップする。このカウントアップは貯蓄枚数が規定値に達するまで行われる。貯蓄枚数が規定値に達すると、制御部はキャンセル部材を開き、ブロック部材をコイン通路内に突出させて、待ち受け状態は拒絶状態に変わる。この拒絶状態で正規コインを投入しても、コイン通路の途中で切欠き部から排出される。そして投入枚数はカウントアップされるが、受容枚数及び貯蓄枚数はカウントアップされない。したがって、投入枚数から受容枚数を差し引いた排出枚数は増加する。貯蓄枚数が１以上規定値以下の状態であればいつでも遊技は可能であり、遊技した都度、貯蓄枚数がカウントダウンされる。
【００３５】
待ち受け状態で不正コインが投入されると、前置検知手段はコインを検知し、不正コインの検知信号を制御部に伝送する。制御部は、投入枚数をカウントするとともに真偽を判定し、偽と判定できるので、キャンセル部材を開き、ブロック部材をコイン通路内に突出させる。不正コインはコイン通路を転動してゆくが、ブロック部材に当たり開いた切欠き部から排出される。不正コインは第二検知手段まで到達しないため、第二検知手段で検知される受容枚数はカウントアップされない。この結果、受容枚数及び貯蓄枚数は変化せず、投入枚数から受容枚数を差し引いた排出枚数は増加する。
【００３６】
上述のように、本発明ではコインの排出枚数を計数している。この排出枚数を表示することにより、遊技者がコインの投入、排出状況を容易に確認できるようになった。
【発明の効果】
【００３７】
本発明のコインセレクタは、第一側壁の切欠き部を開閉可能に覆うキャンセル部材を備え、第二側壁のコインの上半分の高さ位置にブロック部材突出孔を備えてブロック部材を突出させるようにしたので、コインがブロック部材を乗り越えることがなく、不正コインを確実に排出でき、「飲み込み」現象は発生しない。また、コインを検知する第一検知手段、第二検知手段、前置検知手段を備え、コインの投入枚数、受容枚数、排出枚数を計数するようにしたので、枚数の計数、管理が確実に行える。さらに、排出枚数を表示するようにしたので、遊技者が安心感をもって遊技を行うことができ、遊技店への信頼感も向上する。
【発明を実施するための最良の形態】
【００３８】
本発明を実施するための最良の形態を、図１〜５を参考にして説明する。図１はコインセレクタ１が組み込まれたスロットマシン２と呼ばれる概略箱形の遊技機の正面図である。このスロットマシン２は、遊技者は正面中央右側に設けられたコイン投入口８１からコインを投入し、中央左側のスタートボタン８２を押して３つの絵柄ドラム８３を回転させ、中央の３つのストップボタン８４で絵柄ドラム８３を停止させて遊技する。投入したコインがコインセレクタ１内で詰まったときには、遊技者が返却ボタン８５を押すと、詰まったコインがスロットマシン２の下部のコイン放出口８６から返却されるようになっている。
【００３９】
遊技者はクレジット機能を利用し、前以て多数のコインを投入しておき、ベットボタン９１を押して遊技を開始してもよい。このとき、クレジット表示部９２にはコインの貯蓄枚数が遊技可能な回数として表示されている。投入された正規コインはコインセレクタ１を通り抜けてスロットマシン２の内部のコイン蓄積部９３に蓄積される。投入された不正コインはコインセレクタ１の途中で排出され、コイン放出口８６から遊技者に返却される。なお、貯蓄枚数が残っている状態で遊技を終了するときは、精算ボタン９４を押せば、貯蓄枚数分のコインがコイン放出口８６から返却される。
【００４０】
スロットマシン２の前扉は左端縁側で回動開閉自在に軸支持されており、コインセレクタ１はこの前扉の裏側に配設されている。図２は前扉を裏面から見たときのコインセレクタ外形であり、この図を正面図とする。本発明の実施例のコインセレクタ１は、ベースプレート１０、カバープレート３０、キャンセル部材４０、ブロック部材４５、第一検知手段５１、第二検知手段５２、前置検知手段５３、ソレノイド６０、制御部６５、及び返却機構部７０で構成されている。
【００４１】
ベースプレート１０は第二側壁に相当するものであり、板状の部材に取付座や孔などが設けられている。ベースプレート１０の正面には、投入口仕切材１１、コインレール１２、カバープレート座１３が付設されている。投入口仕切材１１はベースプレート１０の上部左寄りに垂直に設けられる棒状の部材で、ベースプレート１０左端との間に垂直通路１５を形成している。コインレール１２は、上面左端から垂直下方に向かい途中で湾曲してなだらかな傾斜となり、右側面下部に達するように配設されている。コインレール１２は、垂直部分では垂直通路１５を形成し、傾斜部分では傾斜通路１６を形成する底部レールとなっている。垂直通路１５の入口は投入口１４であり、スロットマシン２の正面のコイン投入口８１の直下にある。傾斜通路１６の出口は受容口１７であり、スロットマシンのコイン蓄積部９３に通じている。また、ベースプレート１０の下面全面は、排出口１８でコイン放出口８６に通じており、落下したコインが返却されるようになっている。カバープレート座１３は正面右上位置で斜めに配設されている。
【００４２】
ベースプレート１０の裏面の中央には、図３のコインセレクタの背面の説明図に示されるように、ソレノイド６０とキャンセル部材座２１及び付随する機構が設けられている。ベースプレート１０の傾斜通路１６内の上部には、ブロック部材貫通孔２２が穿孔されている。ベースプレート１０の両側面には固定座２３が２つずつ設けられ、計４箇所でスロットマシン２の前扉に固定されるようになっている。
【００４３】
カバープレート３０は第一側壁に相当し、板状の部材が用いられている。カバープレート３０は、カバープレート軸３１によって、カバープレート座１３に回動可能に軸支持され、カバープレートばね３２によってベースプレート１０方向に付勢されている。そして、カバープレート３０は、投入口仕切材１１やコインレール１２、その他の部材に当接し、ベースプレート１０との間に垂直通路１５及び傾斜通路１６を形成している。カバープレート３０の中央の傾斜通路に相当する箇所には、コインが通過できるのに十分な大きさの切欠き部３３が設けられている。
【００４４】
キャンセル部材４０には、切欠き部３３よりもわずかに小さい板状の部材が用いられている。図４は実施例のコインセレクタのキャンセル部材付近の断面図である。キャンセル部材４０は、支持部材４１及びキャンセル部材軸４２によりキャンセル部材座２１に回動可能に軸支持され、電源が遮断されているときは図４（ａ）に示されるように、キャンセル部材ばね４３によりカバープレート３０から離れて、切欠き部３３を開くように付勢されている。
【００４５】
ブロック部材４５は、細長い板状の鋼材が折り曲げられて製作され、一端はキャンセル部材４０を支持する支持部材４１に固設され、他端はキャンセル部材貫通孔２２に達している。そして、ブロック部材４５はキャンセル部材４０と一緒に動作し、電源が遮断されているときは、キャンセル部材貫通孔２３から傾斜通路１４内に突出している。
【００４６】
第一検知手段５１には、塵埃の影響を受けにくい磁界センサが用いられ、図３に示すように、ベースプレート１０の背面のブロック部材貫通孔２２とコインレール１２との中間に配設されている。第二検知手段５２にも磁界センサが用いられ、第一検知手段５１の受容口１７側に並んで配設されている。前置検知手段５３にも磁界センサが用いられ、ベースプレート１０の背面の垂直通路１３の上部に配設されている。また、各検知手段５１、５２、５３は、ベースプレート１０のコイン通路側表面に突出しない程度に板材内部に埋め込んで配置してもよい。なお、各検知手段５１、５２、５３の電気出力は、制御部６５に取り込まれている。
【００４７】
ソレノイド６０は、吸引部６１と、ソレノイドカバー６２で構成されている。吸引部６１は、ベースプレート１０の背面中央に固設され、制御部６５から励磁及び解磁される。ソレノイドカバー６２には鋼板が用いられ、一端が回動可能に軸支持され、中央部が吸引部６１の磁力により吸引されて、他端が揺動する。図４（ｂ）に示されるように、吸引部６１が励磁されると、ソレノイドカバー６２の他端は、支持部材４１を押し、キャンセル部材４０で切欠き部３３を閉じる。このとき、同時にブロック部材４５も押されて、傾斜通路１６外へ待避する。
【００４８】
制御部６５は、３つの検知手段５１、５２、５３から取り込んだ電気信号を基に、コインの真偽判定及び枚数の計数を行っている。すなわち、前置検知手段５３で検知したコイン枚数を投入枚数とし、第二検知手段５２で検知したコイン枚数を受容枚数とし、投入枚数から受容枚数を差し引いて排出枚数としている。第一検知手段５１では、受容される正規コインと排出される不正コインを別々にカウントして、受容枚数と排出枚数とを確認している。さらに、制御部６５内では、受容枚数から遊技実施回数を差し引いて貯蓄枚数を求め、スロットマシン２正面のクレジット表示部９２に表示している。先に求めた排出枚数も、クレジット表示部９２を兼用して切り替え表示している。このとき、排出枚数と貯蓄枚数の表示色を変えて、混乱を避けるのが好ましい。また、排出枚数表示部を新規に設けてもよい。
【００４９】
制御部６５は、また、ソレノイド６０の吸引部６１を励磁及び解磁することにより、コインの待ち受け状態及び拒絶状態を制御している。
【００５０】
なお、返却機構部７０は、遊技者が返却ボタン８５を押下したとき、カバープレート３０を開いて、垂直通路１５及び傾斜通路１６内に詰まったコインを排出する機構である。返却ボタン８５にはスロットマシン２の前面から奥に向かって押し込むタイプもあるが、いずれも従来から行われている方式であり、詳細な構成の説明は省略する。
【００５１】
次に、上述の実施例における動作について説明する。
【００５２】
まず、コインセレクタの電源が切れている状態を考える。ソレノイド６０の吸引部６１は励磁されていないので、キャンセル部材４０はキャンセル部材ばね４３によって付勢され、図４（ａ）に示すように切欠き部３３は開いた状態となる。ブロック部材４５は傾斜通路１６に突出している。ここで、スロットマシン２のコイン投入口８１からコインが投入されると、コインはコインセレクタ１の投入口１４から垂直通路１５を下降した後、傾斜通路１６を転動してゆき、ブロック部材４５に当たる。当たる箇所はコインの上半分であるので、ブロック部材４５を乗り越えることはなく、開いている切欠き部３３から排出される。このときには、検知手段５１、５２、５３，や制御部６５の電源も切れているためコインの計数は行われない。結局、電源が切れた状態では、投入されたコインは、真偽に関係なく無条件で排出される。
【００５３】
次に、電源が投入されると、制御部６５はソレノイド６０の吸引部６１を励磁し、吸引されたソレノイドカバー６２は支持部材４１を押し、支持部材４１と一体のキャンセル部材４０は駆動されて、切欠き部３３を閉じて傾斜通路１６を形成する。これと同時に、ブロック部材４５も駆動されて傾斜通路１６外へ待避し、コインセレクタ１は待ち受け状態となる。
【００５４】
待ち受け状態で正規コインが投入されると、コインは垂直通路１５を下降し、その際前置検知手段５１はコインを検知し、検知信号を制御部６５に伝送する。制御部６５は、投入枚数をカウントするとともに真偽を判定し、真と判定できるので待ち受け状態のままでいる。すると正規コインは傾斜通路１６を転動し、閉じている切欠き部３３、第一検知手段５２、第二検知手段５３を通過し、受容口１７まで到達し、コイン蓄積部９３に入る。第一検知手段５１及び第二検知手段５２は、このコインを検知し、検知信号を制御部６５に伝送する。この結果、制御部６５で受容枚数及び貯蓄枚数がカウントアップされ、クレジット表示部９２に貯蓄枚数が表示され、遊技が行える状態になる。
【００５５】
待ち受け状態で不正コインが投入されても、コインは垂直通路１５を下降するが、その際前置検知手段５１は不正コインの検知信号を制御部６５に伝送する。制御部は、投入枚数をカウントするとともに、コインを偽と判定するので、吸引部６１の励磁を解いて、キャンセル部材４０を開き、同時にブロック部材２５を傾斜通路１６内に突出させる。不正コインは傾斜通路１６を転動してゆくが、ブロック部材２５に当たり開いた切欠き部３３から排出口１８に排出され、コイン放出口８６から遊技者に返却される。不正コインは第二検知手段５２まで到達しないため、受容枚数はカウントアップされない。この結果、受容枚数及び貯蓄枚数は変化せず、投入枚数から受容枚数を差し引いた排出枚数は増加する。
【００５６】
次に、続けて正規コインが投入されるときの計数方法について、図５の動作タイミング図を参考にして説明する。図５の各検知手段におけるＯＮはコインを検知した信号を示し、ソレノイド吸引部のＯＮは励磁状態を示し、横軸は時間の経過を示している。今、クレジット機能の規定値は５０で、既に貯蓄枚数４８までコインを受容している状態を考える。この状態で正規コインＣ１を投入すると、前置検知手段５３、第一検知手段１２、第二検知手段５２の順でコインＣ１を検知する。そして、第二検知手段５２が検知を完了した時点Ｔ１で、制御部６５は、貯蓄枚数を４９にカウントアップする。
【００５７】
続けて正規コインＣ２を投入すると、第一検知手段５１がコインＣ２の検知を完了した時点Ｔ２で、制御部６５は規定値に達したことを認識し、吸引部６１の励磁を解くため、待ち受け状態から拒絶状態に切り替わる。その後、第二検知手段５２でコインＣ２の検知を完了した時点Ｔ３で、制御部６５は貯蓄枚数を５０にカウントアップする。
【００５８】
この拒絶状態で正規コインＣ３を投入すると、前置検知手段５３はコインＣ３を検知し、投入枚数はカウントアップされるが、コインＣ３は傾斜通路１６の開いた切欠き部３３から排出される。そして、第一検知手段５１は、排出されるコインＣ３の正規よりも短時間の検知信号を検知し、第二検知手段５２はコインＣ３を全く検知しない。したがって、受容枚数及び貯蓄枚数はカウントアップされない。したがって、投入枚数から受容枚数を差し引いた排出枚数がカウントされる。
【００５９】
また、図５に示されるとおり、コインの検出では、始めに第一検知手段５１がＯＮとなり、次いで第二検知手段５２もＯＮとなって両方のＯＮが重なり、その次に第一検知手段５１が先にＯＦＦとなり、最後に第二検知手段５２がＯＦＦとなる。このＯＮ、ＯＦＦの順序を確認する方式によりコインの転動方向を検出し、不正行為を見つけることができる。例えば、コインに紐をつけて一度受容されたコインを引き戻そうとした場合、第二検知手段５２が先に第一検知手段は後からコインを検知するため、不正行為と判定して警報を発することができる。
【００６０】
なお、、ベットボタン９１が押されて遊技が行われたときには、制御部６５はその都度貯蓄枚数をカウントダウンする。
【産業上の利用可能性】
【００６１】
本発明のコインセレクタは、コインを投入して遊技するスロットマシンやゲームセンターのゲーム機などに、広く適用できる。
【図面の簡単な説明】
【００６２】
【図１】本発明の実施例のコインセレクタを組み込んだスロットマシンの正面外形を示す説明図である。
【図２】本発明の実施例のコインセレクタの正面を示す説明図である。
【図３】図２の実施例における背面を示す説明図である。
【図４】図１の実施例におけるキャンセル部材及びソレノイド付近の断面を示す説明図であり、（ａ）はソレノイド解磁状態を、（ｂ）はソレノイド励磁状態を、それぞれ示す。
【図５】図１の実施例における動作を示す動作タイミング図である。
【符号の説明】
【００６３】
１：コインセレクタ      ２：スロットマシン
１０：ベースプレート
１１：投入口仕切材      １２：コインレール      １３：カバープレート座
１４：投入口    １５：垂直通路      １６：傾斜通路      １７：受容口
１８：排出口
２１：キャンセル部材座      ２２：ブロック部材貫通孔      ２３：固定座
３０：カバープレート
３１：カバープレート軸      ３２：カバープレートばね    ３３：切欠き部
４０：キャンセル部材      ４１：支持部材      ４２：キャンセル部材軸
４３：キャンセル部材ばね
４５：ブロック部材
５１：第一検知手段      ５２：第二検知手段      ５３：前置検知手段
６０：ソレノイド      ６１：吸引部      ６２：ソレノイドカバー
６５：制御部
７０：返却駆動部
８１：コイン投入口      ８２：スタートボタン      ８３絵柄ドラム
８４：ストップボタン      ８５：返却ボタン      ８６：コイン放出口
９１：ベットボタン      ９２：クレジット表示部
９３：コイン蓄積部      ９４：精算ボタン
【図１】
2006110188.tif 000003
【図２】
2006110188.tif 000004
【図３】
2006110188.tif 000005
【図４】
2006110188.tif 000006
【図５】
2006110188.tif 000007